(57)【要約】【課題】内容物の保存または保護のための密閉性と使用時のイージーオープン性を有する密閉包装容器において、容易に開封し内容物を取り出すのに充分な開口部を実現できる包装容器を提供すること。【解決手段】密封包装容器において、包装容器の側面フランジ部に開封口を設け、必要に応じて開封口内のノッチを活用することにより、開封口を設けた包装容器側面から垂直方向に引裂きながら容易に開封して内容物を取り出すために充分な開口部を作成することができる。【特許請求の範囲】
【請求項１】
蓋材及び底材となる樹脂製のフィルム又はシートを必要に応じて成形し、シール面を合わせてシールすることにより形成され、シール部分に連続して設けられている未シール部分を開封口とするか、或いは蓋材のみを開封つまみとするイージーオープンタイプの密封包装容器であって、該包装容器の側面フランジ部に開封口を設けたことを特徴とする包装容器。
【請求項２】
開封口にノッチまたは切り込みを１箇所設けて２ステップの剥離を行い開封する請求項１記載の包装容器。
【請求項３】
開封口に２箇所以上のノッチまたは切り込みを設けて２ステップ以上の剥離を行い開封する請求項１記載の包装容器。
【発明の詳細な説明】
【０００１】
【発明の属する技術分野】
本発明は食品、医薬品等の包装分野において内容物の保存性や保護のために樹脂製のフィルムまたはシートを底材として必要により成形した容器本体にシートまたはフィルムの蓋材をシールすることにより密封すると共に易剥離状態とした所謂イージーオープンタイプの密封包装容器に関するものである。
【０００２】
【従来の技術】
イージーオープンタイプの密封包装容器は内容物の保存性や保護のための安定した密封性が要求されると共に、使用時に容易に開封できることが要求され、蓋材または底材のシール層を中心として樹脂の配合処方を検討することにより、シール界面の剥離、シール層と隣接層の界面での剥離、シール層の凝集剥離が安定して得られるように設計され、良好に使用されてきた。
【０００３】
これらのイージーオープンタイプの密閉包装容器には、通常容易に開封を開始できるように、開封口が形成されており、カップ等丸い本体形状のものはフランジの一部を凸型とすることにより、トレイ、真空包装等の四角い本体形状のものはコーナーのフランジ部を活用することにより開封口を形成している。
【０００４】
ハードトレイやカップなどの形状の定まった容器の場合は一方の手で容器本体をつかみ他方の手で開封口をつかんで開封することが出来るが、０．５ｍｍ以下のシートを成形したトレイや軟質フィルムによる真空包装のパッケージなどでは容器本体をつかんで開封のために力を加えると容器自身が変形するために、通常イージーオープンとなるシール部に連続して未シールの部分を設けておき、未シール部分の蓋材と底材の両方をつかんで開封するようにして使用されている。
【０００５】
しかし、包装容器の密封性を安全サイドで考慮した設計がなされる為に、イージーオープンの剥離強度は強めに設定される場合がほとんどであり、面シールのものでは剥離の境界線が開封口から剥離に従って徐々に広がって行く為、枠シールのものでは直行方向の２本のシール部の間隔が剥離に従って広がって行く為に包装容器本体が変形して剥がしにくくなったり、蓋材が裂けて綺麗に開封できないなどの問題が発生した。
【０００６】
【発明が解決しようとする課題】
本発明の目的とするところは内容物の保存または保護のためのイージーオープンタイプの密封包装容器において、使用時に開封口を活用して容易に確実に開封できる包装容器を提供することを目的とする。
【０００７】
【課題を解決するための手段】
本発明は、
（１）  蓋材及び底材となる樹脂製のフィルム又はシートを必要に応じて成形し、シール面を合わせてシールすることにより形成され、シール部分に連続して設けられている未シール部分を開封口とするか、或いは蓋材のみを開封つまみとするイージーオープンタイプの密封包装容器であって、該包装容器の側面フランジ部に開封口を設けたことを特徴とする包装容器、
（２）  開封口にノッチまたは切り込みを１箇所設けて２ステップの剥離を行い開封する包装容器、
（３）  開封口に２箇所以上のノッチまたは切り込みを設けて２ステップ以上の剥離を行い開封する包装容器、
である。
【０００８】
【発明の実施の形態】
本発明は通常フォームフィルシールと呼ばれる、底材の成形工程、内容物の充填工程、真空またはガス置換するとともに蓋材と熱シールして密封する工程、最終製品形状への切断工程を連続して行う機械に適用して、未シール部分を開封口として側面フランジ部に設けることにより、好ましくはその中にノッチを入れることによって容易に実現でき効果的に用いられる。また、成形、充填、シール、切断の１工程または複数の工程を別ラインで実施する包装容器に対しても使用することができる。
【０００９】
本発明は包装容器の側面フランジ部に設けた開封口を利用して、開封口を設けた包装容器側面から蓋材を垂直方向に引裂きながら開封することにより、包装容器の中央付近を帯状に剥がしてゆくため、包装容器を変形させずに安定した剥離状態で開封することができる。
開封口の長さが短いほど包装容器側面から垂直方向に引裂いて行く蓋材の幅が狭くなり、剥離は実施し易くなるが、開封時に開口部が狭くなり内容物を取り出しにくくなるので開封口長さは２０ｍｍ〜４５ｍｍの範囲とすることが好ましい。
【００１０】
さらに開封口の真中にノッチまたは切り込みを設け、ノッチまたは切り込みを境にして両側を２ステップに分けて剥離することにより、剥離しやすさを低下させずに開口部を大きくすることができ、また開封口に２箇所のノッチまたは切り込みを設け、その間の蓋材を包装容器側面から垂直方向に引裂きながら開封し、続いて残りの開封口の一方を剥離し、必要に応じて他方の開封口を剥離することにより、良好に内容物を取り出すための開口部を得ることができる。
【００１１】
本発明に用いられるフィルム及びシートは特に限定されるものではなく、イージーオープンタイプの包装容器の材料として公知のものを使用することが出きるが、蓋材として開封口を設けた包装容器側面から垂直方向に、即ちフィルムの幅方向に引裂き易い特性のものを用いることが好ましい。必要に応じて、開封口を設けた包装容器側面から垂直方向に蓋材にスリットやミシン目などフィルムがその部分で裂けやすくなる加工を施すこともできる。
【００１２】
【実施例】
以下に実施例を図面を示して説明するが、本発明はこれらの例によって限定されるものではない。
＜実施例１＞
図１は実施例１の上方から見た平面図であり、図２は開封時の上方から見た平面図である。即ち未シール部の蓋材１を開封口とし、その両端から包装容器側面に対し垂直方向に蓋材に２本のハーフカットのスリット２を設ける。蓋材１を包装容器側面に対し垂直方向に剥離することによりスリット部から蓋材が裂けて安定した剥離強度で開封することができる。尚、開封口となる未シール部の長さは３０ｍｍであった。
【００１３】
＜実施例２＞
図３は実施例２の上方から見た平面図であり、図４は開封時の１ステップ目の上方から見た平面図、図５は開封時の２ステップ目の上方から見た平面図である。即ち未シール部の蓋材のノッチ３の上側の蓋材４を開封口とし、包装容器側面に対し垂直方向に剥離することにより蓋材が裂けて安定した剥離強度で開封することができる。さらに蓋材のノッチ３の下側の蓋材５を開封口とし、包装容器側面に対し垂直方向に剥離することにより同様に安定した剥離強度で開封することができ、より大きな開口部を得ることができる。尚、蓋材としてドライラミネートにより製造したＯＰＰ（２０μｍ）／酸化ケイ素蒸着Ｏ−ＰＥＴ（１２μｍ）／１軸延伸ポリエチレンフィルム（３０μｍ）を使用し、開封口となる未シール部の長さは５０ｍｍでありその中央にノッチを設けた。
【００１４】
＜実施例３＞
図６は実施例３の上方から見た平面図であり、図７は開封時の１ステップ目の上方から見た平面図、図８は開封時の２ステップ目の上方から見た平面図である。図９は開封時の３ステップ目の上方から見た平面図である。即ち未シール部の蓋材の２つのノッチ６、７の間の蓋材８を開封口とし、包装容器側面に対し垂直方向に剥離することにより蓋材が裂けて安定した剥離強度で開封することができる。さらに剥離した部分の上側の蓋材９を上方に剥離し、続いて下側の蓋材１０を下方に剥離することにより大きな開口部を得ることができる。尚、蓋材としてドライラミネートにより製造したＯＰＰ（２０μｍ）／酸化ケイ素蒸着Ｏ−ＰＥＴ（１２μｍ）／未延伸直鎖低密度ポリエチレンフィルム（３０μｍ）を使用し、開封口となる未シール部の長さは６０ｍｍでありその真中に４０ｍｍ間隔で２本のノッチを設けた。
【００１５】
【発明の効果】
本発明に従うと、内容物の保存または保護のための密閉性と使用時に開封が容易であるイージーオープン性を有する密閉包装容器において、開封口となる蓋材を活用して容易に開封し、内容物を取り出すのに充分な開口部を実現できる包装容器を得ることが出来る。
【図面の簡単な説明】
【図１】は実施例１の上方から見た平面図である。
【図２】は実施例１の開封時の上方から見た平面図である。
【図３】は実施例２の上方から見た平面図である。
【図４】は実施例２の開封時の１ステップ目の上方から見た平面図である。
【図５】は実施例２の開封時の２ステップ目の上方から見た平面図である。
【図６】は実施例３の上方から見た平面図である。
【図７】は実施例３の開封時の１ステップ目の上方から見た平面図である。
【図８】は実施例３の開封時の２ステップ目の上方から見た平面図である。
【図９】は実施例３の開封時の３ステップ目の上方から見た平面図である。
【符号の説明】
１  開封口の蓋材
２  ハーフカットのスリット
３  ノッチ
４  開封口の蓋材
５  開封口の蓋材
６  ノッチ
７  ノッチ
８  開封口の蓋材
９  開封口の蓋材
１０  開封口の蓋材
【図１】
2005035552.tif 000002
【図２】
2005035552.tif 000003
【図３】
2005035552.tif 000004
【図４】
2005035552.tif 000005
【図５】
2005035552.tif 000006
【図６】
2005035552.tif 000007
【図７】
2005035552.tif 000008
【図８】
2005035552.tif 000009
【図９】
2005035552.tif 000010